(57)【要約】【課題】  収納家具の収納空間部からの物品の出し入れを容易に行うことができるとともに、収納空間部内に物品を効率よく収納することができる収納家具を提供すること。【解決手段】  少なくとも一部に開口部Ｋが形成されるとともに、物品を収納する棚１０を有する収納棚装置９が内部の収納空間部Ｓに配設された収納家具１において、前記収納棚装置９は、前記棚１０を水平回動自在に支持する上下方向を向く回動軸１４と、前記収納空間部Ｓ内に位置する内部位置と、前記開口部Ｋよりも手前側であって前記収納空間部Ｓ外に位置する外部位置との間で、前記回動軸１４をスライド移動自在に案内する案内手段１１、１２、１３と、を備える。【選択図】  図２
2006087742.tif 000002
【特許請求の範囲】
【請求項１】
少なくとも一部に開口部が形成されるとともに、物品を収納する棚を有する収納棚装置が内部の収納空間部に配設された収納家具において、
前記収納棚装置は、
前記棚を水平回動自在に支持する上下方向を向く回動軸と、
前記収納空間部内に位置する内部位置と、前記収納空間部外に位置する外部位置との間で、前記回動軸をスライド移動自在に案内する案内手段と、
を備えることを特徴とする収納家具。
【請求項２】
前記回動軸は、前記棚のスライド移動方向に対して左右いずれか一方の側方に配置されていることを特徴とする請求項１に記載の収納家具。
【請求項３】
前記回動軸は、前記棚の側方における前記開口部側の端部に配置されていることを特徴とする請求項２に記載の収納家具。
【請求項４】
前記棚の周縁辺における前記回動軸の配置位置の反対側が、前記回動軸を中心とする円弧状に形成されていることを特徴とする請求項１ないし３のいずれかに記載の収納家具。
【請求項５】
前記案内手段による前記回動軸のスライド移動時における前記棚の回動を規制するための回動規制手段を備えることを特徴とする請求項１ないし４のいずれかに記載の収納家具。
【請求項６】
前記案内手段は、前記収納空間部内に固設された固定レールと、該固定レールに摺動自在に案内されるとともに、前記棚を前記回動軸に取り付けるための回動フレームが前記回動軸を介して水平回動自在に取り付けられたスライドレールとからなり、
前記回動規制手段は、前記回動フレームに形成された長手方向を向く規制片と、前記固定レールの前部所定箇所に前記規制片と当接可能に設けられた案内ローラとからなり、
前記回動軸がスライド移動しているときは前記規制片と前記案内ローラとが当接し、前記回動軸が少なくとも前記外部位置に位置したときに前記規制片と前記案内ローラとの当接が解除されるようになっていることを特徴とする請求項５に記載の収納家具。
【発明の詳細な説明】
【技術分野】
【０００１】
本発明は、例えばシステムキッチンやコーナーキャビネット等の収納家具の内部に設けられた収納空間部に、物品を収納する棚を有する収納棚装置が配設された収納家具に関する。
【背景技術】
【０００２】
従来、この種の収納家具としては、例えばキャビネットの前面の一部に開口部を形成し、内部に設けられた収納空間部に配設した半円形状の棚を、上下方向を向く回動軸を中心として水平回動することにより前記開口部より手前に引き出して物品を出し入れできるようにしたもの等があった（例えば、特許文献１参照。）。
【０００３】
【特許文献１】特開平４−３２５１０８号公報（第２頁、第５図）
【発明の開示】
【発明が解決しようとする課題】
【０００４】
しかしながら、特許文献１に記載のキャビネットにあっては、棚の回動軸中心がキャビネット内部の収納空間部に配置されていることで、棚の回動半径が開口部の間口幅で制限され、棚の平面形状が半円形状とされることにより、棚における物品の収納量が限られてしまうばかりか、平面形状が四角形状の収納空間部と前記棚との間に大きなデッドスペースが形成され、収納空間部内に物品を効率よく収納することができないといった問題があった。
【０００５】
本発明は、このような問題点に着目してなされたもので、収納家具の収納空間部からの物品の出し入れを容易に行うことができるとともに、収納空間部内に物品を効率よく収納することができる収納家具を提供することを目的とする。
【課題を解決するための手段】
【０００６】
上記課題を解決するために、本発明の請求項１に記載の収納家具は、
少なくとも一部に開口部が形成されるとともに、物品を収納する棚を有する収納棚装置が内部の収納空間部に配設された収納家具において、
前記収納棚装置は、
前記棚を水平回動自在に支持する上下方向を向く回動軸と、
前記収納空間部内に位置する内部位置と、前記収納空間部外に位置する外部位置との間で、前記回動軸をスライド移動自在に案内する案内手段と、
を備えることを特徴としている。
この特徴によれば、棚の少なくとも一部を開口部よりも手前側に引き出した状態で水平回動させることができ、これにより開口部の間口幅に応じて棚の回動半径が制限されることを回避できるため、棚の収納面積を極力拡大して収納空間部内のデッドスペースを効果的に低減し、収納空間部内に物品を効率よく収納することができる。
【０００７】
本発明の請求項２に記載の収納家具は、請求項１に記載の収納家具であって、
前記回動軸は、前記棚のスライド移動方向に対して左右いずれか一方の側方に配置されていることを特徴としている。
この特徴によれば、手前側に引き出した棚を開口部の側方に向けて水平回動させて開口部から退避させることで、これにより開口部の少なくとも一部を開放させることができるため、収納空間部への収納物の出し入れを容易になるばかりか、回動軸が棚への物品の出し入れ時に邪魔にならない。
【０００８】
本発明の請求項３に記載の収納家具は、請求項２に記載の収納家具であって、
前記回動軸は、前記棚の側方における前記開口部側の端部に配置されていることを特徴としている。
この特徴によれば、棚を手前側に向けて大きく引き出すことなく、開口部の側方に向けて水平回動させることができる。
【０００９】
本発明の請求項４に記載の収納家具は、請求項１ないし３のいずれかに記載の収納家具であって、
前記棚の周縁辺における前記回動軸の配置位置の反対側が、前記回動軸を中心とする円弧状に形成されていることを特徴としている。
この特徴によれば、棚の収納面積を極力拡大し、収納空間部内のデッドスペースを効果的に低減することができるとともに、周縁辺の一部を円弧状に形成することで、棚を手前側に向けて大きく引き出すことなく水平回動させることができるため、操作性が向上する。
【００１０】
本発明の請求項５に記載の収納家具は、請求項１ないし４のいずれかに記載の収納家具であって、
前記案内手段による前記回動軸のスライド移動時における前記棚の回動を規制するための回動規制手段を備えることを特徴としている。
この特徴によれば、棚が手前側に引き出されたときのみ水平回動可能となるため、棚のスライド移動時における開口部の開口端縁との接触が防止される。
【００１１】
本発明の請求項６に記載の収納家具は、請求項５に記載の収納家具であって、
前記案内手段は、前記収納空間部内に固設された固定レールと、該固定レールに摺動自在に案内されるとともに、前記棚を前記回動軸に取り付けるための回動フレームが前記回動軸を介して水平回動自在に取り付けられたスライドレールとからなり、
前記回動規制手段は、前記回動フレームに形成された長手方向を向く規制片と、前記固定レールの前部所定箇所に前記規制片と当接可能に設けられた案内ローラとからなり、
前記回動軸がスライド移動しているときは前記規制片と前記案内ローラとが当接し、前記回動軸が少なくとも前記外部位置に位置したときに前記規制片と前記案内ローラとの当接が解除されるようになっていることを特徴としている。
この特徴によれば、棚をスライド移動自在に案内するための案内手段の一部に設けた規制片と案内ローラとで回動規制手段が構成されるため、構造が簡素化されるとともに、棚をスライド移動させるだけで棚の水平回動動作の規制及び解除がなされるため、操作性が向上する。
【発明を実施するための最良の形態】
【００１２】
本発明の実施例を以下に説明する。
【実施例】
【００１３】
本発明の実施例を図面に基づいて説明すると、先ず図1は、本発明の実施例における収納棚装置の全体像を示す斜視図であり、（ａ）はキャビネットの開閉扉が閉じた状態、（ｂ）は開閉扉が開いた状態であり、（ｂ）においてキャビネット下段の収納棚装置は棚が回動し、キャビネットの外部で側方に配置された状況である。図２は収納棚装置の動作状況を示す平面図であり、（ａ）は棚がキャビネット内部の収納位置にあり開閉扉が閉じた状態、（ｂ）は開閉扉が開いた状態で、棚が引出し位置まで引出された状態、（ｃ）は棚が引出し位置まで引出された状態において、スライド方向に対して約４５°回動した状態、（ｄ）は（ｃ）の状態からさらに回動して、スライド方向に対して約１８０°回動し、キャビネットの開口部が開放された状態である。図３は収納位置における収納棚装置を示す斜視図であり、図４は図３における収納棚装置のうち、固定レール、スライドレール、回動フレームの構造を示す拡大斜視図である。図５は引出し位置において回動フレームが約９０°水平回動した状態を示す拡大斜視図である。図６は、固定レール、スライドレール、回動フレームの組立分解斜視図である。図７は、図４におけるII−II断面図である。
【００１４】
本実施例のキャビネット１は、図１に示すように、天板２と、左右の側板３ａ、３ｂと、背板６ｂと、底板４とにより形成された前面が開口する筐体にて構成されている。キャビネット１の前面開口における図中右側は前板６ａにより閉塞されており、一方の側板３ａに隣接した前面の一部にのみ開口部Ｋが形成されている。開口部Ｋは、前面に把手７が設けられた開閉扉５により開閉自在とされている。キャビネット１の内部は、中仕切り板８により上段と下段とに区画されており、物品を収納可能な収納空間部Ｓが上下に形成されている。
【００１５】
図１（ｂ）で示すように、キャビネット１内部の上段及び下段の収納空間部Ｓ内には、物品を収納可能な上下２段の棚１０を有する収納棚装置９がそれぞれ１個づつ配設されており、該収納棚装置９は、開口部Ｋ側の側板３ａ内面に取り付けられている。棚１０は、図２に示すように、開閉扉５が開放された状態において、収納空間部Ｓ内に位置する収納位置Ａと、開口部Ｋよりも前方に前部が引き出された引出し位置Ｂとの間で、前後方向にスライド移動自在に設けられているとともに、前記引出し位置Ｂにおいて、後述する回動軸１４を中心に水平回動自在に設けられている。
【００１６】
ここで、本実施例における収納棚装置９の詳細な構造を、図１（ｂ）に示す上下の収納空間部Ｓのうち、一方の収納空間部Ｓに配設された収納棚装置９を一例として以下に説明していく。
【００１７】
収納棚装置９は、特に図３に示されるように、棚１０と、該棚１０を水平回動自在に支持する上下方向を向く回動軸１４と、該回動軸１４をキャビネット１の前後方向に向けてスライド移動自在に案内する案内手段である上下一対の固定レール１１，１１’並びにスライドレール１２，１２’と、から主に構成されている。前記回動軸１４は、収納空間部Ｓ内に位置する内部位置（図２（ａ）で示す位置）と、前記開口部Ｋよりも前方（手前側）であって収納空間部Ｓの外部に位置する外部位置（図２（ｂ）〜（ｄ）で示す位置）との間で移動自在とされている。
【００１８】
固定レール１１，１１’は、図３及び図７に示されるように、側板３ａの内面の上下所定箇所に、それぞれキャビネット１の前後方向に向けて互いに平行をなすように、ねじ２２を介して固着されている。該固定レール１１，１１’の内側には、後述する回動フレーム１３、１３’が前記回動軸１４を介して水平回動自在に軸支される上下一対のスライドレール１２，１２’が、支持レール１６を介して前後方向に向けてスライド移動自在に取り付けられている。なお、これら固定レール１１，１１’、スライドレール１２，１２’、回動フレーム１３、１３’は、ステンレス板を折曲げ加工することにより形成されている。
【００１９】
支持レール１６は、長手方向に向けて互いに摺動自在に嵌合される第１レール１６ａ及び第２レール１６ｂにて構成され、第１レール１６ａが固定レール１１，１１’側に固定され、第２レール１６ｂがスライドレール１２，１２’側に固定されている。
【００２０】
上下一対のスライドレール１２，１２’には、図５〜図７に示されるように、その前端部近傍に配置された回動軸１４を介して上下一対の回動フレーム１３，１３’が水平回動自在に軸支されているとともに、該上下一対のスライドレール１２，１２’の前部は、上下方向を向くスライドレール連結部材１５ａにて連結されている。
【００２１】
上下一対の回動フレーム１３，１３’の前後部は、図３及び図７に示すように、上下方向を向く連結部材１５にて互いに連結されており、これら前後の連結部材１５の中段及び下段には、棚１０の側辺が取り付けられている。すなわち、棚１０の左側辺前部が取り付けられている前方の連結部材１５の近傍に回動軸１４が配設されているため、該回動軸１４は棚１０の左側方前端部（開口部Ｋ側の端部）に配置されている（図２参照）。
【００２２】
このように、本実施例の収納棚装置９の棚１０は、前後方向へのスライド移動や水平回動時において、上下一対の部材（スライドレール１２，１２’、回動フレーム１３，１３’）が同期して動作するため、棚１０に物品が載置されて荷重がかかった状態においても、安定して円滑な動作が可能である。
【００２３】
また、棚１０は、図２及び図３に示されるように、互いに対向する前後辺並びに左右側辺が平行をなし、一部のコーナー部Ｃが円弧状に形成された四角形状に形成されている。詳しくは、右側辺Ｌ１並びに後辺Ｌ２は直線状に形成されているとともに、これら右側辺Ｌ１と後辺Ｌ２との間のコーナー部Ｃ、すなわち、回動軸１４の配置位置の反対側のコーナー部Ｃの辺は、回動軸１４を中心とする円弧状に形成されている。
【００２４】
このように棚１０は、平面視略四角形状の収納空間部Ｓに合わせて平面視四角形状に形成され、回動軸１４に対して対角位置となるコーナー部Ｃの辺（周縁辺）のみが円弧状に形成されていることで、棚１０の左右幅を前後方向に向けて幅広に形成し、図２（ａ）で示すような収納空間部Ｓ内におけるデッドスペースＤを極力小さくすることができるとともに、コーナー部Ｃが円弧状として棚１０における回動軸１４を中心とした回動半径を小さくすることで、図２に（ｃ）に示すように、棚１０を開口部Ｋの前方に大きく引き出さなくても、棚１０を開口部Ｋの右側端縁と接触させることなく水平回動させることができるため、棚１０の操作性が向上する。
【００２５】
次に、固定レール１１，１１’、スライドレール１２，１２’、回動フレーム１３，１３’の詳細な構造を図４〜図７に基づいて説明する。なお、これら固定レール１１，１１’、スライドレール１２，１２’、回動フレーム１３，１３’にあっては、上下ともほぼ同様に構成されているため、ここでは上方の固定レール１１、スライドレール１２、回動フレーム１３を一例として説明することとする。
【００２６】
スライドレール１２の上部における前後所定箇所には、上下方向を向く軸回りに回転自在に設けられた第１ガイドローラ１８ａ、１８ａが配設されているとともに、さらに後部位置には、水平方向を向く軸回りに回転自在に設けられた第２ガイドローラ１８ｂが配設されている。これら第１ガイドローラ１８ａ、１８ａ及び第２ガイドローラ１８ｂは、図５及び図７に示されるような組み付け時において、固定レール１１の上部に長手方向に向けて形成された下向きコ字状のガイド溝１７内に嵌挿されるようになっている。
【００２７】
このように、前後に離間配置された第１ガイドローラ１８ａ、１８ａがガイド溝１７の左右側壁の内面に当接して回転することで、棚１０に物品が載置されてスライドレール１２に荷重がかかった場合においても、第１レール１６ａと第２レール１６ｂとの摺動に支障をきたすことがなく、円滑なスライド動作を維持することができる。また、第２ガイドローラ１８ｂがガイド溝１７の上壁内面に当接することで、棚１０が前方に引き出されたときにおけるスライドレール１２の後部の浮き上がりが防止されるようになっている。
【００２８】
スライドレール１２の後部には、固定レール１１の側面から突設された制止ストッパ２０に当接可能な規制ピン１９が下向きに突設されており、棚１０が引出し位置Ｂまで引き出されたときに規制ピン１９が制止ストッパ２０に当接することで、スライドレール１２の前方移動が規制されるようになっている。これにより、第１レール１６ａからの第２レール１６ｂの脱離が防止されるばかりか、収納物が載置された棚１０が引き出されて引出し位置Ｂにて停止した場合に支持レール１６にかかる重量モーメントを抑え、支持レール１６に負荷がかからないようにしている。
【００２９】
また、スライドレール１２の前部には、棚１０を有する回動フレーム１３の前部に挿通された上下方向を向く回動軸１４が取り付けられており、該回動軸１４を介して回動フレーム１３が水平回動自在に軸支されている。
【００３０】
回動フレーム１３の上面前半部には、該回動フレーム１３の回動を規制するための回動規制手段を構成する上向きの回動規制片２１が形成されており、該回動規制片２１は、固定レール１１の外部位置において互いに前後方向に、かつ、左右方向に離間するように配置された上下方向を向く軸回りに回転自在な第３ガイドローラ１８ｃと第４ガイドローラ１８ｄとの間に挟持されるようになっている（図４及び図７参照）。
【００３１】
この回動規制片２１は、回動フレーム１３の前端から前後方向の略中央位置まで延設されており、棚１０が収納位置Ａと引出し位置Ｂの手前との間で前後移動される区間にわたって、第３ガイドローラ１８ｃと第４ガイドローラ１８ｄとの間に挟持されるようになっているとともに、棚１０が引出し位置Ｂに位置したときに、回動規制片２１の後端が第３ガイドローラ１８ｃの前端よりも前方に位置するようになっている。すなわち、回動規制片２１と第３ガイドローラ１８ｃとが非当接状態となるため、回動フレーム１３とともに棚１０が図５中矢印で示される方向に向けて水平回動自在となる。なお、本実施例において、回動フレーム１３（棚１０）は、図５中実線で示されるスライドフレーム１２に重合する位置と、スライドフレーム１２の前方において平行となる位置との間で１８０度水平回動するようになっている。
【００３２】
次に、このように構成された収納棚装置９の作用を、主に図２に基づいて説明する。
【００３３】
図２（ａ）で示す棚１０の収納位置Ａにおいて、回動軸１４は、開口部Ｋよりも後方となる収納空間部Ｓ内における内部位置に位置している。この状態から棚１０を前方に引き出すと、固定レール１１に対してスライドレール１２が前方に移動される。この前方移動時において、前述したように回動規制片２１の内面が第３ガイドローラ１８ｃに当接し、棚１０の水平回動が規制されるため、前方への移動時に棚１０が回転して開口部Ｋの開口端縁等に接触して損傷することがない。
【００３４】
次いで、棚１０が図２（ｂ）で示す引出し位置Ｂまで引き出されると、棚１０の前部の一部及び回動軸１４は、開口部Ｋよりも前方であって収納空間部Ｓの外部の外部位置になる。また、規制ピン１９と制止ストッパ２０との当接により棚１０の前方移動が規制されるとともに、回動規制片２１の後端が第３ガイドローラ１８ｃの前端よりも前方に位置し（図５参照）、回動規制片２１と第３ガイドローラ１８ｃとの当接が解除されるため、回動フレーム１３とともに棚１０が平面視で時計回りに水平回動自在となる（図２（ｃ）参照）。
【００３５】
この状態において、棚１０は、図２（ｄ）に示すように、回動軸１４を中心として約１８０°回転させ、棚１０を開口部Ｋの前方から側方に退避させることができる。よって、開口部Ｋの前方が大きく開放され、キャビネット１の収納空間部Ｓへの物品の出し入れ時に棚１０が邪魔になることがないため、特には、収納空間部Ｓにおける収納棚装置９の配設位置の側方（図２中右側）となる奥側の収納空間部Ｓへの物品の出し入れを容易に行うことができる。
【００３６】
このように、回動フレーム１３に形成された回動規制片２１と固定レール１１に配設された第３ガイドローラ１８ｃとにより、棚１０の収納位置Ａと引出し位置Ｂとの間における前後方向のスライド移動時での棚１０の水平回動が規制されるようになっているため、回動規制手段としての別装置等を用いることなく、簡単な機構で棚１０の水平回動の規制及び解除が行われるようにすることができるとともに、棚１０を引出し位置Ｂまで引き出すだけで回動規制が解除されるため、操作性が向上する。
【００３７】
なお、棚１０を収納位置Ａに収納するには、棚１０を図２（ｄ）の状態から図２（ｂ）の状態まで水平回動させた後、後方に向けて押し込むだけで、収納位置Ａに容易に収納することができる。
【００３８】
以上説明したように、本実施例の収納棚装置９は、回動軸１４が開口部Ｋよりも前方に移動させることができるため、棚１０の少なくとも一部を開口部Ｋよりも前方に引き出した状態で水平回動させることができ、これにより開口部Ｋの間口幅に応じて棚１０の回動半径が制限されることを回避できるため、棚１０の収納面積を極力拡大して収納空間部Ｓ内のデッドスペースを効果的に低減し、収納空間部Ｓ内に物品を効率よく収納することができる。
【００３９】
また、回動軸１４が棚１０の側方前端部（開口部Ｋ側）に配置されていることで、棚１０を前方に向けて大きく（例えば棚１０全体が開口部Ｋよりも前方に位置するまで）引き出すことなく、かつ、開口部Ｋの側方まで水平回動させて開口部Ｋを開放されることができるため、物品の出し入れ時に棚１０が邪魔になることがない。より詳しくは、本実施例のキャビネット１のように横長に形成される収納空間部Ｓに対して、該収納空間部Ｓを開放する開口部Ｋが一部にのみ形成される場合において、収納空間部Ｓにおける開口部Ｋ側に収納棚装置９を配設することで開口部Ｋ近傍での物品の出し入れが容易になるとともに、引き出した棚１０を開口部Ｋの側方に退避させて開口部Ｋ全体を開放させることができることで、特に開口部Ｋから奥方に形成された収納空間部Ｓ内への物品の出し入れが容易になるとともに、奥方の収納空間部Ｓに物品収納用の移動式ワゴン等を収容した場合等においても、収容された移動式ワゴンを開口部Ｋから容易に引き出すことができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、上記実施例では、キャビネット１の開口部Ｋが側板３ａ側に形成されており、棚収納装置９は側板３ａの内面に前後方向にスライド移動自在に取り付けられていたが、棚収納装置９は必ずしも収納空間部Ｓの側壁を構成する側板３ａ等の内面に取り付けられていなくてもよく、例えば開口部Ｋがキャビネット１前面の中央部に形成されている場合等において、棚収納装置９の固定レール１１、１１’が、キャビネット１における収納空間部Ｓの上下壁面、すなわち、天板２の下面や底板４の上面に取り付けられていてもよい。
【００４２】
また上記実施例では、回動軸１４は棚１０の側方前端部に配置されていたが、例えば棚１０の側辺における前後方向の中央位置や内部位置に配置されていてもよいし、あるいは棚１０の側辺よりも内側に配置されていてもよい。
【００４３】
また上記実施例では、棚１０は連結部材１５及び回動フレーム１３を介して回動軸１４を中心に水平回動自在に設けられていたが、回動軸１４を上下方向に延設し、回動軸１４に直接軸支されていてもよい。
【００４４】
また上記実施例では、収納家具としてのキャビネット１の前面の一部に開口部Ｋが形成され、棚１０がキャビネット１の前後方向に向けてスライド移動自在に設けられていたが、例えば開口部をキャビネット１の側面や背面の少なくとも一部に形成し、該開口部を介して棚１０を内部位置と外部位置との間でスライド移動自在としてもよい。
【００４５】
また上記実施例では、収納家具の一例としてキャビネット１が適用されていたが、内部に収納空間部を有するものであれば、例えばキッチンカウンターや洗面台等も本発明の収納家具に含まれる。
【００４６】
また上記実施例では、収納棚装置９の回動軸１４は、案内手段としての上下一対の固定レール１１，１１’、スライドレール１２，１２’、回動フレーム１３，１３’にてスライド移動自在に支持されていたが、必ずしも上下一対の案内部材にて支持されていなくてもよく、単体の案内手段にて支持されていてもよいし、あるいは２つ以上の複数の案内手段にて支持されるようにしてもよい。
【００４７】
また上記実施例では、キャビネット１の収納空間部は中仕切り板８により上下に区分けされ、収納棚装置９は収納空間部Ｓの上部及び下部にそれぞれ配置されていたが、中仕切り板８を有さないキャビネットの収納空間部Ｓに収納棚装置９が１体のみ配設されていてもよいし、あるいは複数体を配設してもよい。複数体配設する場合、例えば収納棚装置９を開口部Ｋに対して左右側に並列配置して、観音開き状に回動動作するように配設してもよい。
【図面の簡単な説明】
【００４８】
【図１】（ａ）は本発明の実施例としての収納家具の全体像を示す斜視図であり、（ｂ）は（ａ）の収納家具の開閉扉が開いた状態を示す斜視図である。
【図２】（ａ）〜（ｄ）は本発明の実施例としての収納棚装置の前後移動及び回動動作を示す概略平面図である。
【図３】収納棚装置を示す斜視図である。
【図４】図３の収納棚装置の要部を示す拡大斜視図である。
【図５】図４の収納棚装置の動作状態を示す斜視図である。
【図６】図４の収納棚装置を示す分解斜視図である。
【図７】図４におけるII−II拡大断面図である。
【符号の説明】
【００４９】
１                キャビネット
３ａ、３ｂ        側板
９                収納棚装置
１０              棚
１１、１１’      固定レール（案内手段）
１２、１２’      スライドレール（案内手段）
１３、１３’      回動フレーム（案内手段）
１４              回動軸
１６              支持レール（案内手段）
１８ｃ            第３ガイドローラ（回動規制手段）
１９              規制ピン
２０              制止ストッパ
２１              回動規制片（回動規制手段）
Ａ                収納位置
Ｂ                引出し位置
Ｋ                開口部
Ｓ                収納空間部
【図１】
2006087742.tif 000003
【図２】
2006087742.tif 000004
【図３】
2006087742.tif 000005
【図４】
2006087742.tif 000006
【図５】
2006087742.tif 000007
【図６】
2006087742.tif 000008
【図７】
2006087742.tif 000009